(57)【要約】【課題】着用者がシャツ・ブラウス・肌着等上半身に着用する衣類（以下、シャツ等とする）をボトムスの中に入れて着用する際、シャツ等のデザインや着用者の体型を問わず、シャツ等の乱れ、すなわちシャツ等がずれ上がる、ボトムスから飛び出す、その結果肌や下着が露出するなどの問題を防止する洋服着用補助具を提供する。【解決手段】下半身に装着され固定される本体（ショーツ形状から成るものなど）（１）と、上半身に着用した衣類を捕らえることのできる形状の留め具（クリップなど）（２）を備える洋服着用補助具であって、本体（１）を下半身に装着・固定し、留め具（２）でシャツ等（２１）の裾や身ごろの内側等適切な部位を捕らえることにより、下方向へ引っ張る力を利用してシャツ等を安定させ、ずり上がりなどの乱れを防止することを特徴とする。【選択図】図１４
2007138367.tif 000002
【特許請求の範囲】
【請求項１】
下半身に装着され固定される本体と、上半身に着用した衣類を捕らえることのできる形状の留め具を備える洋服着用補助具。
【請求項２】
前記留め具は、前記本体に２以上付設されることを特徴とする請求項１記載の洋服着用補助具。
【請求項３】
前記留め具は、上向きに付設されるクリップであることを特徴とする請求項１または２記載の洋服着用補助具。
【請求項４】
前記本体は、伸縮性のある素材でできていることを特徴とする請求項１〜３のいずれか１項記載の洋服着用補助具。
【請求項５】
前記本体および前記留め具は、両者を仲介する部材によって互いに接続されていることを特徴とする請求項１〜４のいずれか１項記載の洋服着用補助具。
【請求項６】
前記仲介部材は、伸縮性のある素材でできていることを特徴とする請求項５記載の洋服着用補助具。
【請求項７】
前記仲介部材には、長さを調節するアジャスター部分が設けられていることを特徴とする請求項５または６記載の洋服着用補助具。
【請求項８】
前記仲介部材は、ベルト形状から成ることを特徴とする請求項５〜７のいずれか１項記載の洋服着用補助具。
【請求項９】
前記留め具の少なくとも１個は、本体に対して着脱可能に構成されることを特徴とする請求項１〜８のいずれか１項記載の洋服着用補助具。
【請求項１０】
前記本体は、ショーツのように履いて身につける、ショーツ形状から成ることを特徴とする請求項１〜９のいずれか１項記載の洋服着用補助具。
【請求項１１】
前記ショーツ形状から成る本体は、股下の部分が開閉可能に構成され、該開閉可能部分に、開閉に必要な留め具が付設されたことを特徴とする請求項１０記載の洋服着用補助具。
【請求項１２】
前記ショーツ形状から成る本体の前部が左右に分かれるように１以上の箇所で切断されており、核切断部分を開閉可能とする留め具が付設されたことを特徴とする請求項１０または１１記載の洋服着用補助具。
【請求項１３】
前記ショーツ形状から成る本体について、ガードルであることを特徴とする請求項１０〜１２のいずれか１項記載の洋服着用補助具。
【請求項１４】
本体は、左右の太腿周りに装着される左右一対のベルトであり、片方に付き１以上の、上半身に着用した衣類を捕らえることのできる形状の留め具を備えることを特徴とする請求項１〜９のいずれか１項記載の洋服着用補助具。
【請求項１５】
前記太腿周りに装着されるベルトである本体には、左右一対の片方に付き１以上の、長さを調節するアジャスター部分が設けられることを特徴とする請求項１４記載の洋服着用補助具。
【請求項１６】
前記太腿周りに装着されるベルトである本体には、左右一対の片方に付き、前記留め具と前記アジャスター部分がそれぞれ２以上付設され、同留め具と同アジャスター部分が、周方向に交互に位置することを特徴とする請求項１４または１５記載の洋服着用補助具。
【請求項１７】
前記太腿周りに装着されるベルトである本体は、左右一対のそれぞれが１以上の箇所で切断され、開閉可能に構成されており、該開閉可能箇所には開閉に必要な留め具が設けられることを特徴とする請求項１４〜１６のいずれか１項記載の洋服着用補助具。
【発明の詳細な説明】
【技術分野】
【０００１】  本発明は、シャツ等（シャツ・ブラウス・肌着など、上半身に着用する衣服全般を総称し、以下、シャツ等とする）の裾を、ズボン・スカートなどのボトムスの中に入れて着用する際、着用者の動作や姿勢によってシャツ等が乱れ、場合によってはシャツ等がずれ上がってボトムスから飛び出したり、下着や肌が露出してしまう等の問題が起こることを防止するために使用する洋服着用補助具に関する。
【背景技術】
【０００２】  シャツ等の裾をボトムスに入れて着用する場合、着用者の動作や姿勢によって、シャツ等が乱れることや、シャツ等の裾がボトムスから飛び出してしまうことがよくある。時にはシャツ等がずれ上がり、下着や肌が露出してしまうこともある。特に、昨今のボトムスに多いヒップハングのデザインではこの問題が生じやすく、上からベルトを着用しても殆ど飾りの役割しか果たさない。これを解決し、きれいにシャツ等を着用するためのものとして、ボディーシャツと呼ばれるものがある。これは、シャツの下の部分がワンピースの水着のように股下に回りこむようになっており、多くはスナップなどで股下の部分を開閉するようにできている。これによりシャツは身体にフイットし、動いても着衣の美しさが保たれる。【０００３】  平らで滑りにくい素材によるベルト状のもので、シャツ等の上から腰に巻きつけて固定するシャツストッパー（商品名）と呼ばれるものもある。【０００４】
【非特許文献１】ファンケルカタログ２００２年１０月号１２頁
【発明が解決しようとする課題】
【０００５】  前記のボディーシャツについては、こうした形状のシャツ等ばかりを選んで着用しようとすれば、デザインやサイズも限られ、費用もかさむ。また、当然ながら、この形状のシャツをボトムスの上に出して着用することはできない。
【０００６】  また、前記のシャツ等の上から巻きつけるベルト状のものでは、かさばってボトムスの外見に響く上、安定性が不足し、それ自体がずり上がってボトムスから出て見えてしまう危険性がある。
【０００７】  本発明は、このような従来の技術が有していた問題を解決しようとするものであり、シャツ等のデザイン、サイズや着用者の体型を問わず、シャツ等の乱れを防止するために使用する洋服着用補助具を提供することを目的とするものである。
【課題を解決するための手段】
【０００８】  上記目的を達成するため、本発明は、下半身に装着され固定される本体と、上半身に着用した衣類を捕らえることのできる留め具を備える洋服着用補助具である。本体を下半身に装着・固定し、本体に付設された留め具でシャツ等の裾や身ごろの内側等適切な部位を捕らえ、下方向へ引っ張る力を利用してシャツ等を安定させ、ずり上がりなど乱れを防ぐものである。
【０００９】  本発明に関わる洋服着用補助具において、前記留め具は、前記本体に２以上付設されることが望ましい。
【００１０】  本発明に関わる洋服着用補助具において、前記留め具は、上向きに付設されるクリップであることが望ましい。
【００１１】  本発明に関わる洋服着用補助具において、前記本体は、伸縮性のある素材でできていることが望ましい。
【００１２】  本発明に関わる洋服着用補助具において、前記本体および前記留め具は、両者を仲介する部材によって互いに接続されていることが望ましい。
【００１３】  本発明に関わる洋服着用補助具において、前記仲介部材は、伸縮性のある素材でできていることが望ましい。
【００１４】  本発明に関わる洋服着用補助具において、前記仲介部材には、長さを調節するアジャスター部分が設けられることが望ましい。
【００１５】  本発明に関わる洋服着用補助具において、前記仲介部材は、ベルト形状から成ることが望ましい。
【００１６】  本発明に関わる洋服着用補助具において、前記留め具の少なくとも１個は、本体に対して着脱可能に構成されることが望ましい。
【００１７】  本発明に関わる洋服着用補助具において、本体として好ましい第一の形状は、ショーツのように履いて身につける、ショーツ形状である。
【００１８】  本発明に関わる洋服着用補助具において、前記ショーツ形状から成る本体は、股下の部分が開閉可能に構成され、該開閉可能部分に、開閉に必要な留め具が付設されることが望ましい。これにより、トイレの用を足すことや、パンティストッキング等の着脱が容易になり、さらに被り式のシャツ等の場合、シャツ等に本発明を付けたまま、シャツ等を着脱することが容易になる。
【００１９】  本発明に関わる洋服着用補助具において、前記ショーツ形状からなる本体は、前部が左右に分かれるように１以上の箇所で切断されており、該切断部分を開閉可能とする留め具が付設されることが望ましい。
【００２０】  本発明に関わる洋服着用補助具において、前記ショーツ形状からなる本体がガードルであることが可能である。体形を整える機能を持つガードルにシャツ等を捕らえ下方向へ引っ張ることのできる留め具が付設される。同留め具は、ボトムスから出て見えることの無いよう、充分低い位置に付設されることが望ましい。これにより本発明のみで体形と着衣を共に整えることができ、またガードルの上部がボトムスから出て見えるのを防ぐことができる。
【００２１】  本発明に関わる洋服着用補助具において、本体として好ましい第二の形状は、左右の太腿周りに装着される左右一対のベルトであり、片方に付き１以上の、上半身に着用した衣類を捕らえることのできる形状の留め具を備えることが望ましい。
【００２２】  本発明に関わる洋服着用補助具において、前記太腿周りに装着されるベルトである本体には、左右一対の片方に付き１以上の、長さを調節するアジャスター部分が設けられることが望ましい。
【００２３】  本発明に関わる洋服着用補助具において、前記太腿周りに装着されるベルトである本体には、左右一対の片方に付き、前記留め具と前記アジャスター部分がそれぞれ２以上付設され、同留め具と同アジャスター部分が、周方向に交互に位置することが望ましい。これにより、全体の長さを変えても、留め具の位置が偏るのを防ぐことができ、体型や、シャツ等の形状に合わせて留め具を常に適正な位置に保つことができる。
【００２４】  本発明に関わる洋服着用補助具において、前記太腿周りに装着されるベルトである本体は、左右一対のそれぞれが１以上の箇所で切断され、開閉可能に構成されており、該開閉可能箇所には開閉に必要な留め具が設けられることが望ましい。
【発明の効果】
【００２５】    本発明は、シャツ等の裾をボトムスの中に入れて着用する際に使用する洋服着用補助具であり、着用者は本体を下半身に装着・固定し、本体に付設された留め具によってシャツ等を捕らえる。本体が下半身に確実に固定された状態で、下方向へ引っ張る力を利用してシャツ等を安定させるので、シャツ等が乱れる、ずれ上がる、ボトムスから飛び出す、それにより肌や下着が露出するなどの問題を確実に防ぐことができる。あらゆるシャツ等に付けて用いることができるので、シャツ等やボトムスのデザインやサイズ、着用者の体型等にかかわらず、またボディーシャツなどの特殊なシャツを購入しなくても、着用者が洋服を美しく着用し、安心して様々な姿勢を取り、動くことを可能にするという、従来にない効果を奏する。更に本発明は、かさばらず、外見に響かない上、携帯や収納、洗濯などのメンテナンスも容易である。
【００２６】  素材として伸縮性のあるレースを使用するなど、デザインに工夫をこらすことで本発明自体のファッション性を楽しめるアイテムを提供することができる。
【発明を実施するための最良の形態】
【００２７】  以下、本発明の実施形態について、図面を用いて説明するが、あくまで実施例であり、この発明の精神を逸脱しない範囲で種々の変更が可能である。また、シャツ等を捕らえるための留め具に関して、図中および以下の説明では全てクリップとしたが、シャツ等を捕らえ、下へ引っ張ることのできる形状の留め具であれば、他のもの（例えば、摩擦力、粘着力、磁力等を利用して対象物を捕らえる機能を持つ、クリップ以外のもの）でも差し支えない。【００２８】  前記本体と前記留め具の両者を仲介・接続する部材として、図中および以下の説明では全てベルト形状の部材としたが、他の形状のもの、例えば広さのある布から成るもの、かさばらないチェーン形状からなるものなどでも差し支えない。
〈第一実施例〉【００２９】  本体がショーツ形状から成る、ショーツタイプの本発明を第一実施例とする。図１は、同実施例の正面斜視図である。図１においてショーツ形状の本体（１）に、上端にクリップ（２）の付設されたベルト形状の部材（３）（以下、クリップ接続ベルトとする）が接続されている。図１においては、クリップ接続ベルトの下の部分が本体に一部縫合されているが、充分な強度が保たれる限り、図と異なる縫合方法や、接着などその他の接続方法により接続されても差し支えない。また、図２のように、本体とクリップ接続ベルトが１枚の切れ目のない材料から構成されることも可能である。【００３０】  本体（１）は、伸縮性、通気性のある素材できていることが望ましい。【００３１】  クリップ（２）は、プラスチック等、衣類を傷めにくい素材でできた薄型のものであることが望ましい。また、衣類と直接触れて掴む部分には、滑りと衣類の傷みを防ぐため、シリコンやゴムなどの素材が付されていても良い。【００３２】  クリップ接続ベルト（３）は、平らで伸縮性のある、例えばゴムテープなどの素材でできており、長さ調節のアジャスター部分（５）が付設されていることが望ましい。【００３３】  本体（１）に付設されるクリップ（２）は、少なくとも図１のように前部・後部にそれぞれ左右１箇所ずつ、計４箇所以上設けられることが望ましい。シャツ等との着脱の簡易性から、計４箇所で適当と考えられるが、左右の端に１箇所ずつ追加して計６箇所付設するなど、数を変更することや、上記と異なる位置に設けることも可能である。【００３４】  さらに、クリップの数や位置を着用者が調整できるようにするため、クリップの少なくとも１個が、本体に対して着脱可能な形も提供できる。図３〜５では、例として、本体にあらかじめ付設された基本となる４箇所のクリップに加え、着用者が必要に応じて２箇所に着脱可能なクリップを追加することができる状態を示した。以下、着脱可能とする方法の例について説明する。【００３５】  図３では、本体と、本体に直接固定されていないクリップ接続ベルト（以下、着脱可能クリップ接続ベルトとする）の下端に、それぞれ対となる着脱用の留め具（８）が付設されている。同留め具は、たとえばスナップや、ブラジャーのフロントホックに用いられる留め具などが考えられる。【００３６】  図４では、本体にプラスチック等でできたリング状の部材（９）が付設されており、着脱可能クリップ接続ベルト（７）はスナップなどの留め具（１０）を備え、それを留めることによってループ状に形成できる形になっている。着脱可能クリップ接続ベルトを、同リングに通して留め具（１０）を留めることにより、本体に装着することが可能である。上記リングの代わりに布製などのループ状の部材を設けたり、または本体にベルト通し用の穴を設けても良い。【００３７】  図５では、着脱可能クリップ接続ベルトの下端に、本体を掴むことが可能な、クリップなどの留め具（１１）が付設されており、同留め具で本体を掴むことにより、本体に装着することが可能である。この場合、着用者が本体の任意の位置に任意の数の着脱可能クリップ接続ベルトを取り付けることができる。【００３８】  ショーツ形状の本体（１）に���設されるクリップ（２）およびクリップ接続ベルト（３）の上下方向の位置は、上端、下端付近、中程の位置等、様々なパターンが可能であるが、同本体の上下方向の長さを考慮して、適宜決定されることが望ましい。例えば、図６のように本体が上下に長く、股上部が深い場合には、高い位置に付けると、同本体やクリップがボトムスからはみ出して露出してしまう可能性があるので、それを防ぐため、充分低い位置に付けることが適当と考えられる。【００３９】  図７は、ショーツ形状の本体の股下が、開閉部（１２）において開閉可能である本発明の図であり、該開閉部にスナップ（１３）が付されている。扱いやすさを考え、該開閉部は、前よりの位置に設けられるのが望ましい。【００４０】  図８は、前記股下の開閉部（１２）を開いた図である。股下が開閉可能であることにより、トイレの用を足すことやパンティストッキング等の着脱が容易になるほか、被り物のシャツ等の場合、シャツ等に本発明をつけたままシャツ等を着脱することが容易になる。【００４１】  図９は、前記股下の開閉部（１２）に加え、ショーツ形状の本体の前部が、開閉部（１６）において左右に開閉可能である本発明の図であり、該開閉部にスナップ（１７）が付されている。【００４２】  図１０は前記前部の開閉部（１６）を開いた図である。図１０のように股下の開閉に加えて前部が左右に開閉可能であることにより、前開きのシャツ等の場合、シャツ等に本発明を付けたままシャツ等を着脱することが容易になる。【００４３】  この他、図１１のように、前部の左右２箇所を切断し、開閉部（１８）とする形も提供できる。図１２は該開閉部を開いた図である。【００４４】  前記の股下、前部等の開閉部（１２）、（１６）、（１８）の開閉のために付設される留め具には、前記に示したスナップのほか、フック、面ファスナーなどが考えられるが、その他の形状の留め具を用いることも可能である。開閉が容易であり、厚みの少ない留め具であることが望ましい。【００４５】  図１３は、ショーツ形状の本体がガードル（２０）である本発明の図である。図では、腹部を押さえる、ヒップを持ち上げるなど、体形を整えるガードルの外側に、クリップ接続ベルトを介してクリップが付設されている。クリップの付設される上下方向の位置は、ボトムスに充分隠れる高さであることが望ましい。これにより本発明のみで体形と着衣を共に整え、またガードルの上部がボトムスから出て見えてしまうのを防ぐことができる。本体であるガードルの構造や機能発揮の観点から、股下などの開閉部の付設が困難な場合も考えられ、開閉部の有無や位置については適宜決定されることが望ましい。【００４６】  図１４は、ショーツタイプの本発明を装着し、シャツ等の裾をクリップで掴んだ図である。【００４７】  図１５は、ショーツタイプの本発明を装着し、シャツ等の丈が長いため、シャツ等の身ごろの内側をクリップで掴んだ図である。図１５においては、シャツ等の内側の着用状況を透視図として示す。【００４８】  図１６は、ショーツタイプの本発明とシャツ等を着用し、その上にスカートを着用した図である。図１６においては、スカートの内側の着用状況を透視図として示す。
〈第二実施例〉【００４９】  本体が左右の太腿周りに装着される左右一対のベルト（以下、太腿周り用ベルトとする）から成る、太腿周り用ベルトタイプの本発明を第二実施例とする。図１７は、左右一対の太腿周り用ベルトのうち、右脚に装着する一方の正面斜視図である。図１７において、太腿周り用ベルト（２４）に、クリップ（２５）およびクリップ接続ベルト（２６）が付設されている。【００５０】  図１７においては、クリップ接続ベルトは下の部分が本体である太腿周り用ベルトに巻きつく形で縫合されているが、充分な強度が保たれる限り、他の縫合方法や、接着などその他の接続方法により接続されても差し支えない。また、図１８のように、本体とクリップ接続ベルトが１枚の切れ目のない材料から構成されることも可能である。【００５１】  装着をスピーディに行う、ベルトが片方だけ紛失するのを防ぐ、収納・携帯を便利にする等の目的で、図１９のように、左右の太腿周りベルトがベルトその他の仲介部材（３２）によって接続されている形も提供できる。【００５２】  図１７において、本体である太腿周り用ベルト（２４）およびクリップ接続ベルト（２６）は、伸縮性があり平らな素材でできていることが望ましく、例えばブラジャーの肩ひもに使われる素材や、ゴムテープと呼ばれる素材などが考えられる。あるいは更に広さのある、伸縮性の高い布等を素材とすることも可能である。両ベルトとも、長さ調節のためのアジャスター部分（２８）、（３０）が付設されることが望ましい。【００５３】  クリップ（２５）は、プラスチック等衣類を傷めにくい素材でできた薄型のものであることが望ましい。また、衣類と直接触れて掴む部分には、滑りと衣類の傷みを防ぐため、シリコンやゴムなどの素材が付されていても良い。【００５４】  クリップ（２５）は、太腿周り用ベルトの左右一対の片方に付き少なくとも図１７のように前部・後部にそれぞれ１箇所ずつ、計２箇所以上設けられることが望ましい。シャツ等との着脱の簡易性から、片方に付き計２箇所で適当と考えられるが、脚の外側に当たる部分に１箇所追加して計３箇所付設するなど、数を変更することや、上記と異なる位置に設けることも可能である。【００５５】  図１７に示すように、太腿周り用ベルトの片方に付き２以上のクリップ（２５）が付される場合、太腿周り用ベルトのアジャスター部分（２８）も２以上設けられ、その周方向の位置についてはクリップ（２５）と交互であることが望ましい。これにより、太腿周り用ベルト全体の長さを変えても、クリップの位置が偏るのを防ぐことができ、体型や、シャツ等の形状に合わせてクリップを常に適正な位置に保つことができる。【００５６】  図２０に示すように、太腿周り用ベルトは片方に付き１以上の箇所で切断され、着脱に必要な留め具が付設されることが望ましい。該切断箇所は、扱いやすさを考慮し、前部の１箇所に設けられるのが適当と考えられる。該切断箇所に設けられる着脱用留め具は、着脱が容易で薄い形の物が適しており、例としては、ブラジャーのフロントホックに使用される部材などが考えられる。またブラジャーのフロントホックの多くがそうであるように、通常のアジャスター（２９）と共に用いることによってアジャスタ��部分（２８）を構成することができるものであれば、図２０の留め具（３５）のように着脱機能とアジャスター機能を兼ねさせることができる。【００５７】  さらに図２１に示すように、太腿周り用ベルトに付設された全てのクリップよりも脚の内側に当たる部分が開閉するような位置に前記切断箇所が設けられることにより、前開きや後ろ開きのシャツ等の場合、シャツ等に本発明をつけたままでシャツ等を着脱することが容易となる。【００５８】  クリップの数や位置を着用者が調整できるようにするため、クリップの少なくとも１個が、本体である太腿周り用ベルトに対して着脱可能な形も提供できる。図２２〜２６には、着脱可能とする方法の例を示す。【００５９】  図２２において、着脱可能クリップ接続ベルト（３６）の下端がループ状に形成されている。本体である太腿周り用ベルトを同ループに通すことにより、着脱可能クリップ接続ベルトを太腿周り用ベルトに接続することが可能である。【００６０】  図２３において、着脱可能クリップ接続ベルト（３６）の下端はスナップなどの留め具（３７）を留めることでループ状に形成される。同着脱可能クリップ接続ベルトを本体である太腿周り用ベルトに巻きつけ、同留め具を留めることにより、太腿周りベルトに接続することが可能である。【００６１】  図２２および図２３に示した方法においては、着用者が任意の位置に任意の数の着脱可能クリップ接続ベルトを取り付けることができるが、太腿周り用ベルトと着脱可能クリップ接続ベルトの間を滑りにくくする工夫がほどこされることが望ましい。【００６２】  図２４において、着脱可能クリップ接続ベルト（３６）の下端にクリップなどの留め具（３８）が付設されている。太腿周りベルトを同留め具で掴むことによって、着脱可能クリップ接続ベルトを太腿周り用ベルトに接続することが可能である。この場合も着用者が太腿周り用ベルトの任意の位置に任意の数の着脱可能クリップ接続ベルトを取り付けることができる。【００６３】  さらに、太腿周り用ベルトを任意の位置で掴むための留め具として、図２５に示した様な形状の留め具（３９）が考えられる。プラスチックなどの素材でできており、太腿周り用ベルトを掴んで留めたときに平らなリング状になり、内側にはベルトに引っかかる突起（４０）が付されている。こうした形状であれば太腿周り用ベルトが抜け落ちることがなく、同留め具が横方向に滑ってずれることもない。もちろん、上部にはクリップ接続ベルトを装着できる形になっている。また、上記の突起の代わりに、滑り止めとなる素材、例えばシリコンやゴムなどが付されていても良い。【００６４】  図２６は、着脱可能クリップ接続ベルト（３６）の下端に前記の平らなリング状になる留め具（３９）を付設し、同留め具で太腿周り用ベルトを掴んだ図である。【００６５】  図２７は、太腿周り用ベルトタイプの本発明を装着し、シャツ等の裾をクリップで掴んだ図である。【００６６】  図２８は、太腿周り用ベルトタイプの本発明を装着し、シャツ等の丈が長いため、シャツ等の身ごろの内側をクリップで掴んだ図である。図２８においては、シャツ等の内側の着用状況を透視図として示す。【００６７】  図２９は、太腿周り用ベルトタイプの本発明と���ャツを着用し、その上にスカートを着用した図である。図２９においては、スカートの内側の着用状況を透視図として示す。【００６８】  第一実施例、第二実施例およびその他のあらゆる形状の本発明の着用法について、パンティストッキングやタイツ等を着用する場合はその上に、着用しない場合はショーツ、ガードル等肌着の上に本発明を装着することを基本とするが、場合により着用の順序を変えることも可能である。そして、もちろん更にその上に、スカート、ズボン等のボトムスを着用する。
【図面の簡単な説明】
【００６９】
【図１】本発明に係る洋服着用補助具の第一実施例の正面斜視図。
【図２】本発明に係る洋服着用補助具の第一実施例の正面斜視図。
【図３】本発明に係る洋服着用補助具の第一実施例で、一部のクリップが本体に対して着脱可能な形の正面斜視図。
【図４】本発明に係る洋服着用補助具の第一実施例で、一部のクリップが本体に対して着脱可能な形の正面斜視図。
【図５】本発明に係る洋服着用補助具の第一実施例で、一部のクリップが本体に対して着脱可能な形の正面斜視図。
【図６】本発明に係る洋服着用補助具の第一実施例で、本体の股上が深い形の正面斜視図。
【図７】本発明に係る洋服着用補助具の第一実施例で、股下が開閉可能に構成された形の正面斜視図。
【図８】本発明に係る洋服着用補助具の第一実施例で、股下の開閉部を開いた状態の正面斜視図。
【図９】本発明に係る洋服着用補助具の第一実施例で、前部が左右に開閉可能に構成された形の正面斜視図。
【図１０】本発明に係る洋服着用補助具の第一実施例で、前部の開閉部を左右に開いた状態の正面斜視図。
【図１１】本発明に係る洋服着用補助具の第一実施例で、前部が左右２箇所において開閉可能に構成された形の正面斜視図。
【図１２】本発明に係る洋服着用補助具の第一実施例で、前部の２箇所の開閉部を開いた状態の正面斜視図。
【図１３】本発明に係る洋服着用補助具の第一実施例で、本体がガードルである形の正面斜視図。
【図１４】本発明に係る洋服着用補助具の第一実施例の着用例（クリップでシャツ等の裾を掴んで着用）
【図１５】本発明に係る洋服着用補助具の第一実施例の着用例（クリップでシャツ等の身ごろの内側を掴んで着用）
【図１６】本発明に係る洋服着用補助具の第一実施例の着用例（本発明、シャツ等の上からスカートを着用）
【図１７】本発明に係る洋服着用補助具の第二実施例の、左右一対の内の一方（右脚用）の正面斜視図。左脚用は本図と左右対称形であるため、省略する。
【図１８】本発明に係る洋服着用補助具の第二実施例の、左右一対の内の一方（右脚用）の正面斜視図。左脚用は本図と左右対称形であるため、省略する。
【図１９】本発明に係る洋服着用補助具の第二実施例の、左右一対の太腿周り用ベルトが仲介部材により互いに接続された形の正面斜視図。
【図２０】本発明に係る洋服着用補助具の第二実施例の、左右一対の内の一方（右脚用）の本体を前部で開いた状態の正面斜視図。左脚用は本図と左右対称形であるため、省略する。
【図２１】本発明に係る洋服着用補助具の第二実施例の、左右一対の正面斜視図。
【図２２】本発明に係る洋服着用補助具の第二実施例で、クリップを本体に対して着脱可能に構成した場合の着脱部分。
【図２３】本発明に係る洋服着用補助具の第二実施例で、クリップを本体に対して着脱可能に構成した場合の着脱部分。
【図２４】本発明に係る洋服着用補助具の第二実施例で、クリップを本体に対して着脱可能に構成した場合の着脱部分。
【図２５】本発明に係る洋服着用補助具の第二実施例で、クリップを本体に対して着脱可能に構成するために使用する留め具の例。
【図２６】本発明に係る洋服着用補助具の第二実施例で、クリップを本体に対して着脱可能に構成した場合の着脱部分。
【図２７】本発明に係る洋服着用補助具の第二実施例の着用例（クリップでシャツ等の裾を掴んで着用）。
【図２８】本発明に係る洋服着用補助具の第二実施例の着用例（クリップでシャツ等の身ごろの内側を掴んで着用）。
【図２９】本発明に係る洋服着用補助具の第二実施例の着用例（本発明、シャツ等の上からスカートを着用）。
【符号の説明】
【００７０】１  ショーツ形状からなる本体
２  クリップ
３  クリップ接続ベルト
４  縫合部分
５  アジャスター部分
６  アジャスター
７  着脱可能クリップ接続ベルト
８  留め具
９  リング状部材
１０  留め具
１１  留め具
１２  開閉部
１３  スナップ
１４  本体前部
１５  本体後部
１６  開閉部
１７  スナップ
１８  開閉部
１９  スナップ
２０  ガードルである本体
２１  シャツ等
２２  脚
２３  スカート
２４  太腿周り用ベルトである本体
２５  クリップ
２６  クリップ接続ベルト
２７  縫合部分
２８  アジャスター部分
２９  アジャスター
３０  アジャスター部分
３１  アジャスター
３２  仲介部材
３３  太腿周り用ベルト（右脚用）
３４  太腿周り用ベルト（左脚用）
３５  留め具（アジャスター機能付）
３６  着脱可能クリップ接続ベルト
３７  留め具
３８  留め具
３９  留め具
４０  突起
【図１】
2007138367.tif 000003
【図２】
2007138367.tif 000004
【図３】
2007138367.tif 000005
【図４】
2007138367.tif 000006
【図５】
2007138367.tif 000007
【図６】
2007138367.tif 000008
【図７】
2007138367.tif 000009
【図８】
2007138367.tif 000010
【図９】
2007138367.tif 000011
【図１０】
2007138367.tif 000012
【図１１】
2007138367.tif 000013
【図１２】
2007138367.tif 000014
【図１３】
2007138367.tif 000015
【図１４】
2007138367.tif 000016
【図１５】
2007138367.tif 000017
【図１６】
2007138367.tif 000018
【図１７】
2007138367.tif 000019
【図１８】
2007138367.tif 000020
【図１９】
2007138367.tif 000021
【図２０】
2007138367.tif 000022
【図２１】
2007138367.tif 000023
【図２２】
2007138367.tif 000024
【図２３】
2007138367.tif 000025
【図２４】
2007138367.tif 000026
【図２５】
2007138367.tif 000027
【図２６】
2007138367.tif 000028
【図２７】
2007138367.tif 000029
【図２８】
2007138367.tif 000030
【図２９】
2007138367.tif 000031